(57)【要約】【課題】主画面に対して、副画面に、主画面に表示されている画面に対して関連性の高い画面を自動的に表示する射出成形機の表示装置及び表示システムを提供すること。【解決手段】２以上の画面を表示可能な、射出成形機１００の表示装置１であって、射出成形機１００の表示装置１は、少なくともメイン表示部１１とサブ表示部１２とを有する表示部１０と、表示部１０に表示する画面の選択に係る入力を受け付ける入力部２０と、入力部２０への入力に基づいて、表示部１０に表示される画面を選択的に制御する表示制御部５０と、を備え、表示制御部５０は、入力部２０への入力に基づいてメイン表示部１１に表示される画面を切り換えるとともに、サブ表示部１２に、メイン表示部１１に過去に表示された画面を表示させる。【選択図】図２
2020049695.tif 000002
【特許請求の範囲】
【請求項１】
２以上の画面を表示可能な、射出成形機の表示装置であって、
少なくともメイン表示部とサブ表示部とを有する表示部と、
前記表示部に表示する画面の選択に係る入力を受け付ける入力部と、
前記入力部への入力に基づいて、前記表示部に表示される画面を選択的に制御する表示制御部と、
を備え、
前記表示制御部は、前記入力部への入力に基づいて前記メイン表示部に表示される画面を切り換えるとともに、前記サブ表示部に、前記メイン表示部に過去に表示された画面を表示させる射出成形機の表示装置。
【請求項２】
前記表示制御部は、前記メイン表示部に直前に表示されていた画面を前記サブ表示部に表示する請求項１に記載の射出成形機の表示装置。
【請求項３】
前記入力部は、前記サブ表示部に表示される画面を切り換える切り換え入力を受け付け、
前記表示制御部は、前記入力部に入力された前記切り換え入力に基づいて、前記サブ表示部に表示される画面を切り換える請求項１に記載の射出成形機の表示装置。
【請求項４】
前記メイン表示部に表示された画面の回数を計数する計数部を更に備え、
前記表示制御部は、前記計数部によって計数された回数が最も多い画面を前記サブ表示部に表示する請求項１に記載の射出成形機の表示装置。
【請求項５】
前記メイン表示部に表示されている画面に対して、次に前記メイン表示部に表示されるように選択された画面の選択回数を計数する計数部を更に備え、
前記表示制御部は、前記メイン表示部に表示されている画面から、次に前記メイン表示部への表示として過去に選択された画面のうち最も回数の多い画面を、前記サブ表示部に表示する請求項１に記載の射出成形機の表示装置。
【請求項６】
前記表示制御部は、前記計数部によって計数された回数が所定の回数以上である画面を前記サブ表示部に表示可能に制御する請求項４に記載の射出成形機の表示装置。
【請求項７】
前記入力部は、前記射出成形機を操作するオペレータを識別する識別情報を取得し、
前記表示制御部は、前記識別情報によって識別されるオペレータごとに、前記サブ表示部に表示される画面を制御する請求項４に記載の射出成形機の表示装置。
【請求項８】
前記射出成形機の動作状態を判別する動作状態判別部を更に備え、
前記計数部は、前記動作状態ごとに前記メイン表示部に表示された画面の回数を計数し、
前記表示制御部は、前記動作状態ごとに、前記サブ表示部に表示される画面を切り換える請求項４に記載の射出成形機の表示装置。
【請求項９】
請求項１から８のいずれかに記載の複数の表示装置と、
複数の前記表示装置に接続される管理装置と、
を備え、
前記管理装置は、
複数の前記表示装置のそれぞれの前記メイン表示部に表示された画面に基づいて、前記表示装置のそれぞれの前記サブ表示部に表示される画面を選択する画面選択部を有し、
前記表示制御部は、選択された前記画面を前記表示装置に表示させる表示システム。
【発明の詳細な説明】
【技術分野】
【０００１】
本発明は、射出成形機の表示装置及び表示システムに関する。
【背景技術】
【０００２】
従来より、射出成形機は、例えば、樹脂等を射出成形する産業機械である。射出成形機の動作に際して、射出成形機の動作に関する値が予め射出成形機に設定される。射出成形機は、設定された値に基づいて動作する。
【０００３】
ところで、射出成形機に設定される値は、例えば、トライアンドエラーにより求められる。即ち、射出成形機に設定される値は、所定の値を用いて射出成形機を実際に動作させた上で、調整することにより求められる。この際、種々の値を設定すべく、射出成形機の表示装置には、複数種類の表示画面が切り替えられて表示される。
【０００４】
そのため、射出成形機の表示装置は、複数の画面を表示可能に構成されているのが好ましい。このように、複数の表示画面を切り替えて表示する装置として、主画面と副画面とを備え、複数の画面を切り替えて表示する画面表示制御装置が提案されている（例えば、特許文献１参照）。
【先行技術文献】
【特許文献】
【０００５】
【特許文献１】特開２００６−２９７６７１号公報
【発明の概要】
【発明が解決しようとする課題】
【０００６】
特許文献１に開示されている画面表示制御装置では、主画面及び副画面に、複数の画面が表示される。したがって、例えば、射出成形機等の工作機械に値を設定する際に、設定の効率を向上することができる。
【０００７】
ところで、射出成形機の動作に関する値を予め設定する際には、値を調整するために、非常に多くの画面を表示する場合がある。そこで、副画面に表示される画面は、選択された主画面に対して関連性の高い画面を表示することがより好ましい。また、副画面に表示される画面は、自動的に選択されて表示されることがより好ましい。
【０００８】
本発明は、主画面に対して、副画面に、主画面に表示されている画面に対して関連性の高い画面を自動的に表示する射出成形機の表示装置及び表示システムを提供することを目的とする。
【課題を解決するための手段】
【０００９】
（１）  本発明は、２以上の画面を表示可能な、射出成形機の表示装置であって、少なくともメイン表示部とサブ表示部とを有する表示部と、前記表示部に表示する画面の選択に係る入力を受け付ける入力部と、前記入力部への入力に基づいて、前記表示部に表示される画面を選択的に制御する表示制御部と、を備え、前記表示制御部は、前記入力部への入力に基づいて前記メイン表示部に表示される画面を切り換えるとともに、前記サブ表示部に、前記メイン表示部に過去に表示された画面を表示させる射出成形機の表示装置に関する。
【００１０】
（２）  上記（１）に記載の射出成形機の表示装置であって、前記表示制御部は、前記メイン表示部に直前に表示されていた画面を前記サブ表示部に表示するのが好ましい。
【００１１】
（３）  上記（１）に記載の射出成形機の表示装置であって、前記入力部は、前記サブ表示部に表示される画面を切り換える切り換え入力を受け付け、前記表示制御部は、前記入力部に入力された前記切り換え入力に基づいて、前記サブ表示部に表示される画面を切り換えるのが好ましい。
【００１２】
（４）  上記（１）に記載の射出成形機の表示装置であって、前記メイン表示部に表示された画面の回数を計数する計数部を更に備え、前記表示制御部は、前記計数部によって計数された回数が最も多い画面を前記サブ表示部に表示するのが好ましい。
【００１３】
（５）  上記（１）に記載の射出成形機の表示装置であって、前記メイン表示部に表示されている画面に対して、次に前記メイン表示部に表示されるように選択された画面の選択回数を計数する計数部を更に備え、前記表示制御部は、前記メイン表示部に表示されている画面から、次に前記メイン表示部への表示として過去に選択された画面のうち最も回数の多い画面を、前記サブ表示部に表示するのが好ましい。
【００１４】
（６）  上記（４）に記載の射出成形機の表示装置であって、前記表示制御部は、前記計数部によって計数された回数が所定の回数以上である画面を前記サブ表示部に表示可能に制御するのが好ましい。
【００１５】
（７）  上記（４）に記載の射出成形機の表示装置であって、前記入力部は、前記射出成形機を操作するオペレータを識別する識別情報を取得し、前記表示制御部は、前記識別情報によって識別されるオペレータごとに、前記サブ表示部に表示される画面を制御するのが好ましい。
【００１６】
（８）  上記（４）に記載の射出成形機の表示装置であって、前記射出成形機の動作状態を判別する動作状態判別部を更に備え、前記計数部は、前記動作状態ごとに前記メイン表示部に表示された画面の回数を計数し、前記表示制御部は、前記動作状態ごとに、前記サブ表示部に表示される画面を切り換えるのが好ましい。
【００１７】
（９）  また、本発明は、上記（１）から（８）のいずれかに記載の複数の表示装置と、複数の前記表示装置に接続される管理装置と、を備え、前記管理装置は、複数の前記表示装置のそれぞれの前記メイン表示部に表示された画面に基づいて、前記表示装置のそれぞれの前記サブ表示部に表示される画面を選択する画面選択部を有し、前記表示制御部は、選択された前記画面を前記表示装置に表示させる表示システムに関する。
【発明の効果】
【００１８】
本発明によれば、主画面に対して、副画面に、主画面に表示されている画面に対して関連性の高い画面を自動的に表示する射出成形機の表示装置及び表示システムを提供することができる。
【図面の簡単な説明】
【００１９】
【図１】本発明の第１実施形態に係る射出成形機を示す概略構成図である。
【図２】第１実施形態の射出成形機の表示装置を示すブロック図である。
【図３】第１実施形態の射出成形機の表示装置における表示態様を示す概念図である。
【図４】第１実施形態の射出成形機の表示装置における処理の流れを示すフローチャートである。
【図５】本発明の第２実施形態に係る射出成形機の表示装置における表示態様を示す概略図である。
【図６】第２実施形態の射出成形機の表示装置における処理の流れを示すフローチャートである。
【図７】第２実施形態の射出成形機の表示装置における表示態様を示す概念図である。
【図８】本発明の第３実施形態に係る射出成形機の表示装置を示すブロック図である。
【図９】第３実施形態の射出成形機の表示装置における表示態様を示す概念図である。
【図１０】本発明の第７実施形態に係る射出成形機の表示装置を示すブロック図である。
【図１１】本発明の第８実施形態に係る射出成形機の表示システムを示す概略構成図である。
【図１２】本発明の変形例に係る射出成形機の表示装置における表示態様を示す概念図である。
【図１３】本発明の変形例に係る射出成形機の表示装置における表示態様を示す概念図である。
【発明を実施するための形態】
【００２０】
以下、本発明の各実施形態に係る射出成形機１００の表示装置１及び表示システムついて、図１〜図４を参照して説明する。
まず、射出成形機１００及び射出成形機１００の表示装置１の概要について説明する。
【００２１】
射出成形機１００は、例えば、高温で溶融した樹脂を金型に注入した上で、樹脂を冷却することで製品（成形品）を製造する機械である。射出成形機１００を用いて製品を製造する場合、射出成形機１００は、予め設定された値（設定値）に基づいて動作することで、より好適な状態の製品を製造することができる。
【００２２】
設定値は、製品の量産を開始する前に実際に射出成形機１００を予備的に動作させることで調整及び決定される。設定値の調整及び決定は、例えば、射出成形機１００を制御するオペレータＭからの射出成形機１００への値の入力及び設定の決定入力等に基づいて実施される。設定値の入力及び決定に際し、射出成形機１００の表示装置１は、オペレータＭからの選択入力に応じて、射出成形機１００の状態を示す複数の画面を順次表示することで、オペレータＭからの設定値の調整入力を受け付ける。また、射出成形機１００の表示装置１は、オペレータＭからの設定値の決定の入力を受け付ける。これにより、本発明の各実施形態に係る射出成形機１００の表示装置１及び表示システムは、オペレータＭに対して、設定値の調整及び決定を補助することが可能である。
【００２３】
［第１実施形態］
次に、本発明の第１実施形態に係る射出成形機１００の表示装置１について、図１〜図４を参照して説明する。
本実施形態に係る射出成形機１００の表示装置１は、２以上の画面を表示可能な装置である。射出成形機１００の表示装置１は、図１に示すように、例えば、射出成形機１００と一体的に構成される。射出成形機１００の表示装置１は、複数の画面を用いて、射出成形機１００の動作状態や、設定値等を射出成形機１００のオペレータＭに表示する。射出成形機１００の表示装置１は、図２に示すように、表示プログラム格納部３０と、表示内容格納部４０と、複数の表示部１０と、入力部２０（選択入力部２１）と、表示制御部５０と、を備える。なお、本実施形態において、「画面」は、表示装置１において表示される画像を意味する。
【００２４】
表示プログラム格納部３０は、例えば、ハードディスクやメモリ等の副記憶媒体である。表示プログラム格納部３０は、画面を表示するプログラムを画面ごとに複数格納する。
【００２５】
表示内容格納部４０は、例えば、ハードディスクやメモリ等の副記憶媒体である、表示内容格納部４０は、表示された画面の表示順をデータとして格納する。表示内容格納部４０は、例えば、図３に示すように、オペレータＭによって選択された画面番号（画面の識別番号）を選択された順（選択順）に並べたデータを格納する。
【００２６】
表示部１０は、例えば、ディスプレイや液晶装置等である。例えば、本実施形態において、表示部１０は、複数設けられる。複数の表示部１０は、少なくともメイン表示部１１と、サブ表示部１２と、を備える。具体的には、複数の表示部１０は、一例として、１つのメイン表示部１１と、１つのサブ表示部１２と、を備える。
【００２７】
メイン表示部１１は、例えば、オペレータＭによって直近に選択された画面を表示する装置である。具体的には、メイン表示部１１は、複数ある画面のうち、オペレータＭによって直近に選択された画面を表示する装置である。
【００２８】
サブ表示部１２は、例えば、メイン表示部１１に過去に表示された画面を表示する装置である。サブ表示部１２は、メイン表示部１１に過去に表示された画面を表示する装置である。
【００２９】
入力部２０は、例えば、入力を受け付ける入力装置である。入力部２０は、表示部１０に表示される画面の選択に係る入力を受け付ける。具体的には、入力部２０は、射出成形機１００のオペレータＭから、表示部１０に表示する画面の選択に係る入力を受け付ける。本実施形態において、入力部２０は、例えば、メイン表示部１１に配置される位置検出装置（タッチパッド）として構成される。また、本実施形態において、入力部２０は、メイン表示部１１に表示される画面の選択に係る入力を受け付ける。具体的には、入力部２０は、射出成形機１００のオペレータＭから、メイン表示部１１に表示される画面の選択に係る入力を受け付ける。なお、以下の説明において、メイン表示部１１に表示する画面を選択する入力を受け付ける入力部２０を「選択入力部２１」ともいう。
【００３０】
表示制御部５０は、例えば、プロセッサ（図示せず）等の演算装置が動作することで実現される。表示制御部５０は、入力部２０への入力に基づいて、表示部１０に表示される画面を選択的に制御する。表示制御部５０は、例えば、入力部２０によって選択された画面に対応する表示プログラムを表示プログラムから読み出す。表示制御部５０は、読み出した表示プログラムによって描画される画面をメイン表示部１１に表示する。また、表示制御部５０は、今回、メイン表示部１１に表示させた画面を最新の画面として識別する選択順に並べたデータを表示内容格納部４０に格納する。
【００３１】
また、表示制御部５０は、入力部２０（選択入力部２１）への入力に基づいて、メイン表示部１１に表示される画面を切り換える。具体的には、表示制御部５０は、新たに入力部２０によって選択された画面に対応する表示プログラムを読み出す。表示制御部５０は、読み出した表示プログラムによって描画される画面をメイン表示部１１に表示するように切り替える。そして、表示制御部５０は、サブ表示部１２に、メイン表示部１１に過去に表示された画面を表示する。本実施形態において、表示制御部５０は、図３に示すように、メイン表示部１１に直前に表示されていた画面をサブ表示部１２に表示する。即ち、表示制御部５０は、切り換え前にメイン表示部１１に表示されていた画面をサブ表示部１２に表示させる。具体的には、表示制御部５０は、表示内容格納部４０に格納されている選択順に並べたデータを読み出して、直前にメイン表示部１１に表示されていた画面の表示プログラムを表示プログラム格納部３０から読み出す。そして、表示制御部５０は、読み出した表示プログラムを用いてサブ表示部１２に画面を描画させる。例えば、本実施形態において、表示制御部５０は、画面番号３の画面をメイン表示部１１に表示する。また、表示制御部５０は、メイン表示部１１に直前に表示されていた画面番号２の画面をサブ表示部１２に表示する。
【００３２】
次に、本実施形態に係る射出成形機１００の表示装置１の動作について、図４のフローチャートを用いて説明する。
まず、入力部２０（選択入力部２１）は、オペレータＭから、メイン表示部１１に表示する画面の選択入力を受け付ける（ステップＳ１）。次いで、表示制御部５０は、選択された画面に対応する表示プログラムを表示プログラム格納部３０から読み出して、メイン表示部１１に選択された画面を表示させる（ステップＳ２）。また、表示制御部５０は、メイン表示部１１に表示した画面の識別情報を最新の画面の情報として選択順に並べたデータに追加することで、データを更新する。表示制御部５０は、更新されたデータを表示内容格納部４０に格納する。
【００３３】
次いで、表示制御部５０は、入力部２０（選択入力部２１）を介して、次の画面の選択入力があったか否かを判断する（ステップＳ３）。次の画面の選択入力があった場合、処理はステップＳ４に進む。次の画面の選択入力が無い場合、表示制御部５０は、そのまま待機する。
【００３４】
ステップＳ４において、表示制御部５０は、選択された画面に対応する表示プログラムを表示プログラム格納部３０から読み出す。表示制御部５０は、読み出した表示プログラムを用いて、メイン表示部１１に画面を表示させる。表示制御部５０は、表示内容格納部４０から選択順に並べたデータを読み出して、今回表示させた画面を識別する情報を最新の画面として選択順に並べたデータに追加することで、データを更新する。表示制御部５０は、更新したデータを表示内容格納部４０に格納する。
また、表示制御部５０は、読み出した選択順に並べたデータに含まれる最新の画面の情報に基づいて、表示プログラムを表示プログラム格納部３０から読み出す。表示制御部５０は、読み出した表示プログラムを用いて描画した画面をサブ表示部１２に表示させる。
【００３５】
次いで、ステップＳ５において、表示制御部５０は、入力部２０を介して、設定値を設定する入力があったか否かを判断する。設定値を設定する入力があった場合、表示制御部５０は、処理を終了する。一方、設定値を設定する入力が無い場合、処理はステップＳ３に戻る。
【００３６】
以上の射出成形機１００の表示装置１によれば、以下の効果を奏する。
（１）２以上の画面を表示可能な、射出成形機１００の表示装置１であって、射出成形機１００の表示装置１は、少なくともメイン表示部１１とサブ表示部１２とを有する表示部１０と、表示部１０に表示する画面の選択に係る入力を受け付ける入力部２０と、入力部２０への入力に基づいて、表示部１０に表示される画面を選択的に制御する表示制御部５０と、を備え、表示制御部５０は、入力部２０への入力に基づいてメイン表示部１１に表示される画面を切り換えるとともに、サブ表示部１２に、メイン表示部１１に過去に表示された画面を表示させる。
【００３７】
これにより、新たな画面がメイン表示部１１に表示されるように選択された場合に、過去にメイン表示部１１に表示されていた画面がサブ表示部１２に表示される。したがって、オペレータＭは、サブ表示部１２を参照しつつメイン表示部１１に値等を入力することができるので、射出成形機１００を予め調整する際の作業効率を向上することができる。特に、過去にメイン表示部１１に表示された画面をサブ表示部１２に表示させるので、メイン表示部１１に関連性の高いと思われる画面をサブ表示部１２に表示させることができ、より作業効率を向上することができる。
【００３８】
（２）表示制御部５０は、メイン表示部１１に直前に表示されていた画面をサブ表示部１２に表示する。これにより、既にメイン表示部１１に表示されていた画面を自動的にサブ表示部１２に移動した上で、次の画面をメイン表示部１１に表示することができる。したがって、オペレータＭは、直前の画面を参照しながら射出成形機１００に設定値を入力することができるので、作業効率を向上することができる。
【００３９】
［第２実施形態］
次に、本発明の第２実施形態に係る射出成形機１００の表示装置１について図５〜図７を参照して説明する。第２実施形態の説明にあたって、同一構成要件については同一符号を付し、その説明を省略もしくは簡略化する。
第２実施形態に係る射出成形機１００の表示装置１は、入力部２０が、サブ表示部１２に表示される画面を切り換える切り換え入力を受け付ける点で、第１実施形態と異なる。また、第２実施形態に係る射出成形機１００の表示装置１は、表示制御部５０が、入力部２０に入力された切り換え入力に基づいて、サブ表示部１２に表示される画面を切り換える点で、第１実施形態と異なる。また、第２実施形態における射出成形機１００の表示装置１の動作は、ステップＳ４とステップＳ５との間に、ステップＳ２１及びステップＳ２２が追加される点で第１実施形態と異なる。また、第２実施形態における射出成形機１００の表示装置１の動作は、ステップＳ５において設定値を設定する入力が無い場合に、処理がステップＳ２３に進む点で第１実施形態と異なる。
【００４０】
入力部２０は、メイン表示部１１に加え、例えば、図５に示すように、サブ表示部１２に配置される位置検出装置（タッチパッド）としても構成される。入力部２０は、サブ表示部１２に表示される画面を切り換える入力を受け付け可能に構成される。具体的には、入力部２０は、メイン表示部１１に表示される画面を選択する選択入力部２１と、サブ表示部１２に表示される画面を切り換える切り換え部２２と、を有する。
【００４１】
次に、本実施形態に係る射出成形機１００の表示装置１の動作について、図６のフローチャートを参照して説明する。
ステップＳ２１において、表示制御部５０は、サブ表示部１２に表示する画面を切り換える切り換え入力の受け付けたか否かを判断する。入力を受け付けた場合、処理はステップＳ２２に進む。一方、入力が無い場合、処理はステップＳ５へ進む。
【００４２】
ステップＳ４の後のステップＳ２２において、表示制御部５０は、表示内容格納部４０から選択順に並べたデータを読み出す。表示制御部５０は、入力部２０（切り換え部２２）への入力内容に基づいて、サブ表示部１２に表示する画面に係る表示プログラムを読み出してサブ表示部１２に画面を表示させる。表示制御部５０は、例えば、画面を遡って表示する入力を入力部２０（切り換え部２２）から受け付けた場合に、選択順に並べられたデータを参照して過去に遡ってメイン表示部１１に表示された画面をサブ表示部１２に表示させる。また、表示制御部５０は、例えば、画面を進めて表示する入力を入力部２０（切り換え部２２）から受け付けた場合に、選択順に並べられたデータを参照してより直近にメイン表示部１１に表示された画面をサブ表示部１２に表示させる。具体的には、表示制御部５０は、画面を遡って表示する入力を入力部２０（切り換え部２２）から受け付けた場合、メイン表示部１１においてＮ回前に表示された画面（現在サブ表示部１２に表示されている画面）から、メイン表示部１１においてＮ＋１回前に表示された画面をサブ表示部１２に表示させる。
【００４３】
一方、表示制御部５０は、画面を進めて表示する入力を入力部２０（切り換え部２２）から受け付けられた場合、メイン表示部１１においてＮ回前に表示された画面（現在サブ表示部１２に表示されている画面）から、Ｎ−１回目に表示された画面をサブ表示部１２に表示させる。例えば、図７に示すように、３回前にメイン表示部１１において表示された画面が入力部２０（切り換え部２２）を用いて選択された場合、表示制御部５０は、サブ表示部１２に画面番号５の画面を表示する。次いで、処理は、ステップＳ５に進む。
【００４４】
次いで、ステップＳ５において、表示制御部５０は、入力部２０を介して、設定値を設定する入力があったか否かを判断する。設定値を設定する入力があった場合、表示制御部５０は、処理を終了する。一方、設定値を設定する入力が無い場合、処理はステップＳ２３に進む。
【００４５】
ステップＳ２３において、表示制御部５０は、入力部２０を介して、メイン表示部１１に次に表示する画面の選択入力があったか否かを判断する。メイン表示部１１に次に表示する画面の選択入力があった場合、処理はステップＳ４に進む。次の画面の選択入力が無い場合、処理はステップＳ２１に進む。
【００４６】
以上の射出成形機１００の表示装置１によれば、以下の効果を奏する。
（３）入力部２０は、サブ表示部１２に表示される画面を切り換える切り換え入力を受け付け、表示制御部５０は、入力部２０に入力された切り換え入力に基づいて、サブ表示部１２に表示される画面を切り換える。これにより、オペレータＭはサブ表示部１２に表示される画面を任意に切り替えることができる。したがって、メイン表示部１１に表示されている画面を切り換えることなく、適切な画面をサブ表示部１２に表示することができるので、射出成形機１００を予め調整する際の作業効率をより向上することができる。
【００４７】
［第３実施形態］
次に、本発明の第３実施形態に係る射出成形機１００の表示装置１について、図８及び図９を参照して説明する。第３実施形態の説明にあたって、同一構成要件については同一符号を付し、その説明を省略もしくは簡略化する。
第３実施形態に係る射出成形機１００の表示装置１は、図８に示すように、計数部６０を更に備える点で、第１及び第２実施形態と異なる。また、第３実施形態に係る射出成形機１００の表示装置１は、表示制御部５０が、メイン表示部１１に直線に表示されていた画面に代えて、計数部６０によって計数された回数が最も多い画面をサブ表示部１２に表示する点で、第１及び第２実施形態と異なる。例えば、表示制御部５０は、図９に示すように、メイン表示部１１に表示された回数が最も多い画面番号３の画面をサブ表示部１２に表示する。
【００４８】
計数部６０は、メイン表示部１１に表示された画面の回数を計数する。具体的には、計数部６０は、例えば、選択順に並べられたデータに基づいて、メイン表示部１１に表示された画面の表示回数を計数する。
【００４９】
以上の射出成形機１００の表示装置１によれば、以下の効果を奏する。
（４）射出成形機１００の表示装置１は、メイン表示部１１に表示された画面の回数を計数する計数部６０を更に備え、表示制御部５０は、計数部６０によって計数された回数が最も多い画面をサブ表示部１２に表示する。これにより、メイン表示部１１に表示された回数の多い画面が自動的にサブ表示部１２に表示されるので、使用頻度が高いと思われる画面をサブ表示部１２に表示することができる。したがって、作業効率をより向上することができる。
【００５０】
［第４実施形態］
次に、本発明の第４実施形態に係る射出成形機１００の表示装置１について説明する。第４実施形態の説明にあたって、同一構成要件については同一符号を付し、その説明を省略もしくは簡略化する。
第４実施形態に係る射出成形機１００の表示装置１は、計数部６０を更に備える点で、第１及び第２実施形態と異なる。また、第４実施形態に係る射出成形機１００の表示装置１は、メイン表示部１１に直前に表示されていた画面をサブ表示部１２に表示するのに代えて、表示制御部５０が、メイン表示部１１に表示されている画面から、次にメイン表示部１１への表示として過去に選択された画面のうち最も回数の多い画面をサブ表示部１２に表示する点で、第１及び第２実施形態と異なる。
【００５１】
計数部６０は、メイン表示部１１に表示されるように選択された画面の選択回数を計数する。具体的には、計数部６０は、例えば、メイン表示部１１に表示されている画面に対して、次にメイン表示部１１に表示されるように選択された画面の選択回数を計数する。計数部６０は、例えば、表示内容格納部４０から選択順に並べられたデータを読み出して、メイン表示部１１に表示されている画面に対して次に選択された画面とその回数を計数する。
【００５２】
以上の射出成形機１００の表示装置１によれば、以下の効果を奏する。
（５）射出成形機１００の表示装置１は、メイン表示部１１に表示されている画面に対して、次にメイン表示部１１に表示されるように選択された画面の選択回数を計数する計数部６０を更に備え、表示制御部５０は、メイン表示部１１に表示されている画面から、次にメイン表示部１１への表示として過去に選択された画面のうち最も回数の多い画面を、サブ表示部１２に表示する。これにより、過去の統計に基づいて、次にメイン表示部１１に表示される回数の多い画面を先にサブ表示部１２に表示するので、次の画面をメイン表示部１１で選択して表示させる必要がない。したがって、作業効率をより向上することができる。
【００５３】
［第５実施形態］
次に、本発明の第５実施形態に係る射出成形機１００の表示装置１について説明する。第５実施形態の説明にあたって、同一構成要件については同一符号を付し、その説明を省略もしくは簡略化する。
第５実施形態に係る射出成形機１００の表示装置１は、表示制御部５０が、計数部６０によって計数された回数が所定の回数以上である画面をサブ表示部１２に表示可能に制御する点で、第３実施形態と異なる。
【００５４】
以上の射出成形機１００の表示装置１によれば、以下の効果を奏する。
（６）表示制御部５０は、計数部６０によって計数された回数が所定の回数以上である画面をサブ表示部１２に表示可能に制御する。これにより、メイン表示部１１に表示された回数が所定回数より少ない場合には、該当する画面をサブ表示部１２に自動的に表示しないようにすることができる。したがって、メイン表示部１１への関連性が少ないと思われる画面をサブ表示部１２に表示することを抑制でき、作業効率をより向上することができる。
【００５５】
［第６実施形態］
次に、本発明の第６実施形態に係る射出成形機１００の表示装置１について説明する。第６実施形態の説明にあたって、同一構成要件については同一符号を付し、その説明を省略もしくは簡略化する。
第６実施形態に係る射出成形機１００の表示装置１は、入力部２０が、射出成形機１００を操作するオペレータＭを識別する識別情報を取得する点で、第３実施形態から第５実施形態と異なる。また、第６実施形態に係る射出成形機１００の表示装置１は、表示制御部５０が、識別情報によって識別されるオペレータＭごとに、サブ表示部１２に表示される画面を制御する点で、第３実施形態から第５実施形態と異なる。また、第６実施形態に係る射出成形機１００の表示装置１は、表示内容格納部４０が、識別情報で識別されたオペレータＭごとに、選択順に並べられたデータを格納する点で第３実施形態から第５実施形態と異なる。
【００５６】
以上の射出成形機１００の表示装置１によれば、以下の効果を奏する。
（７）入力部２０は、射出成形機１００を操作するオペレータＭを識別する識別情報を取得し、表示制御部５０は、識別情報によって識別されるオペレータＭごとに、サブ表示部１２に表示される画面を制御する。これにより、オペレータＭごとにサブ表示部１２に表示する画面を異ならせることができる。したがって、オペレータＭのノウハウ等に基づいたユーザライクな表示装置１を提供することができるので、作業効率をより向上することができる。
【００５７】
［第７実施形態］
次に、本発明の第７実施形態に係る射出成形機１００の表示装置１について、図１０を参照して説明する。第７実施形態の説明にあたって、同一構成要件については同一符号を付し、その説明を省略もしくは簡略化する。
第７実施形態に係る射出成形機１００の表示装置１は、動作状態判別部７０を更に備える点で、第３から第６実施形態と異なる。第７実施形態に係る射出成形機１００の表示装置１は、計数部６０が、動作状態ごとにメイン表示部１１に表示された画面の回数を計数する点で、第３から第６実施形態と異なる。第７実施形態に係る射出成形機１００の表示装置１は、表示制御部５０は、動作状態ごとに、サブ表示部１２に表示される画面を切り換える点で、第３から第６実施形態と異なる。第７実施形態に係る射出成形機１００の表示装置１は、表示内容格納部４０が、動作状態ごとに選択順に並べられたデータを格納する点で第３から第６実施形態と異なる。
【００５８】
動作状態判別部７０は、射出成形機１００の動作状態を判別する。動作状態判別部７０は、例えば、動作状態として、射出成形機１００の成形準備段階、成形条件調整段階、成形運転段階、及び成形終了のいずれの動作状態であるかを判別する。
【００５９】
以上の射出成形機１００の表示装置１によれば、以下の効果を奏する。
（８）射出成形機１００の表示装置１は、射出成形機１００の動作状態を判別する動作状態判別部７０を更に備え、計数部６０は、動作状態ごとにメイン表示部１１に表示された画面の回数を計数し、表示制御部５０は、動作状態ごとに、サブ表示部１２に表示される画面を切り換える。これにより、射出成形機１００の動作状態ごとに、サブ表示部１２に表示される画面を切り換えることができるので、予め試運転中の射出成形機１００において、動作状態に応じて関連性の高い画面をサブ表示部１２に表示することができる。したがって、作業効率をより向上することができる。
【００６０】
［第８実施形態］
次に、本発明の第８実施形態に係る射出成形機１００の表示システム２について、図１１を参照して説明する。第８実施形態の説明にあたって、同一構成要件については同一符号を付し、その説明を省略もしくは簡略化する。
第８実施形態に係る射出成形機１００の表示システム２は、第１から第７実施形態のいずれかに記載の複数の表示装置１と、管理装置２００と、を備える。
【００６１】
管理装置２００は、例えばサーバであり、複数の表示装置１とネットワークを介して接続される。管理装置２００は、複数の表示装置１のそれぞれのメイン表示部１１に表示された画面に基づいて、表示装置１のそれぞれのサブ表示部１２に表示される画面を選択する画面選択部２０１を有する。
画面選択部２０１は、例えば、複数の表示装置１のそれぞれのメイン表示部１１に表示された画面に基づいて、上記第１から第７実施形態の表示制御部５０と同様に動作する。
本実施形態における表示制御部５０は、画面選択部２０１によって選択された画面を表示装置１に表示させる。
【００６２】
以上の射出成形機１００の表示システム２によれば、以下の効果を奏する。
（９）射出成形機１００の表示システム２は、（１）から（８）のいずれかに記載の複数の表示装置１と、複数の表示装置１に接続される管理装置２００と、を備え、管理装置２００は、複数の表示装置１のそれぞれのメイン表示部１１に表示された画面に基づいて、表示装置１のそれぞれのサブ表示部１２に表示される画面を選択する画面選択部２０１を有し、表示制御部５０は、選択された画面を表示装置１に表示させる。これにより、射出成形機１００の表示装置１を管理装置２００で集中管理することができるので、より多くの情報に基づいてサブ表示部１２に表示される画面を選択することができる。したがって、設定により適した画面をサブ表示部１２に表示することができ、作業効率をより向上することができる。
【００６３】
以上、本発明の射出成形機の表示装置の好ましい一実施形態につき説明したが、本発明は、上述の実施形態に制限されるものではなく、適宜変更が可能である。
【００６４】
例えば、上記各実施形態において、表示部１０は、複数あるとされたが、これに制限されない。表示部１０は、１つであってもよい。この場合、メイン表示部１１及びサブ表示部１２のそれぞれは、１つの表示画面における分割された表示領域の１領域として設けられてもよい。
【００６５】
また、上記第１実施形態において、表示制御部５０が表示内容格納部４０に格納されている選択順に並べられているデータを読み出すとしたがこれに制限されない。例えば、表示制御部５０は、選択順に並べられているデータを読み出すのに代えて、単に、メイン表示部１１に表示されている画面をサブ表示部１２に移動させるだけであってもよい。
【００６６】
また、上記第３実施形態において、表示制御部５０は、計数部６０によって計数された回数が最も多い画面をサブ表示部１２に表示するとしたが、これに制限されない。表示制御部５０は、メイン表示部１１に既に最も回数の多い画面が表示されている場合には、次に回数の多い画面をサブ表示部１２に表示するようにしてもよい。
【００６７】
また、上記第５実施形態において、メイン表示部１１に表示された回数が、いずれの画面においても所定回数を超えない場合、上記第１実施形態から第７実施形態のいずれかの方法を用いてサブ表示部１２に表示される画面を選択するようにしてもよい。
【００６８】
また、上記各実施形態において、メイン表示部１１及びサブ表示部１２を１つの表示画面で構成する場合、入力部２０は、メイン表示部１１及びサブ表示部１２の位置を入れ替える入れ替え部２３を有してもよい。入力部２０は、例えば、図１１及び図１２に示すように、選択入力部２１と、切り換え部２２と、入れ替え部２３と、を有してもよい。
【００６９】
また、上記実施形態において、射出成形機１００の表示装置１は、表示プログラム格納部３０及び表示内容格納部４０を備えるとしたが、これに制限されない。例えば、射出成形機１００の表示装置１は、外部のサーバ等から表示プログラムや選択順に並べられたデータを取得及び送信するように構成されてもよい。
【符号の説明】
【００７０】
１  表示装置
２  表示システム
１０  表示部
１１  メイン表示部
１２  サブ表示部
２０  入力部
５０  表示制御部
６０  計数部
７０  動作状態判別部
１００  射出成形機
２００  管理装置
２０１  画面選択部
Ｍ  オペレータ
【図１】
2020049695.tif 000003
【図２】
2020049695.tif 000004
【図３】
2020049695.tif 000005
【図４】
2020049695.tif 000006
【図５】
2020049695.tif 000007
【図６】
2020049695.tif 000008
【図７】
2020049695.tif 000009
【図８】
2020049695.tif 000010
【図９】
2020049695.tif 000011
【図１０】
2020049695.tif 000012
【図１１】
2020049695.tif 000013
【図１２】
2020049695.tif 000014
【図１３】
2020049695.tif 000015